(57)【要約】【課題】オプションを装着したとき、ユーザーの利便性が高い電力供給のマネジメントを実現する表示装置を提供する。【解決手段】オプション機能の追加が可能な表示装置であって、オプション接続部、オプション情報取得部、消費電力検出部、電源、電力低減プラン作成部、表示部、操作部および前記オプション接続部にオプションが接続されたとき、前記オプションのオプション情報を前記オプション情報取得部に取得させ、本体の消費電力を前記消費電力検出部に取得させ、前記オプションおよび前記本体の総消費電力が予め定められた閾値を超える場合、前記総消費電力を減らして動作するための複数の電力低減プランを前記電力低減プラン作成部に作成させて前記表示部に表示させ、選択された前記電力低減プランを実行させる制御部を備えたことを特徴とする表示装置。【選択図】図５
2018159868.tif 000002
【特許請求の範囲】
【請求項１】
本体にオプションを接続することによりオプション機能の追加が可能な表示装置であって、
前記オプションを接続するオプション接続部と、前記オプション接続部に接続されたオプションの消費電力を含むオプション情報を取得するオプション情報取得部と、本体の消費電力を検出する消費電力検出部と、前記オプションおよび前記本体に電力を供給する電源と、前記本体の一部の機能を停止または低下することにより、総消費電力を低減させる電力低減プランを作成する電力低減プラン作成部と、前記電力低減プランを表示する表示部と、ユーザーからの指令を受け付ける操作部と、
前記オプション接続部にオプションが接続されたとき、前記オプションのオプション情報を前記オプション情報取得部に取得させ、本体の消費電力を前記消費電力検出部に取得させ、前記オプションおよび前記本体の総消費電力が予め定められた閾値を超える場合、前記総消費電力を減らして動作するための複数の電力低減プランを前記電力低減プラン作成部に作成させて前記表示部に表示させ、前記操作部が受け付けた指令により選択された前記電力低減プランを実行させる制御部と、を備えたことを特徴とする表示装置。
【請求項２】
前記電力低減プランは、ユーザーが選択可能な複数の設定項目を含み、
前記制御部は、前記操作部が前記設定項目の選択の変更を受け付けたとき、
変更された設定項目に基づき、前記オプションおよび前記本体の総消費電力が予め定められた閾値を超えるか否かを前記表示部に表示させる請求項１に記載の表示装置。
【請求項３】
前記設定項目は、前記表示部のバックライトの輝度を予め定められたレベルまで下げる処理、音声出力をＯＦＦにする処理および映像入力端子の信号検出をＯＦＦにする処理に関する項目のうち、少なくとも１つの項目を含む請求項１または２に記載の表示装置。
【請求項４】
前記オプションは、消費電力量の異なる複数種類の電力モードを有し、前記オプション情報は、前記電力モードの情報を含み、前記設定項目は、前記複数種類の電力モードの設定に関する項目を有する請求項１〜３のいずれか１つに記載の表示装置。
【請求項５】
前記制御部は、前記電力低減プランを前記表示部に表示させるとき、前記電力低減プランによって低減可能な消費電力量を併せて前記表示部に表示させる請求項１〜４のいずれか１つに記載の表示装置。
【請求項６】
前記制御部は、複数の前記電力低減プランを前記表示部に表示させるとき、低減可能な消費電力量の大きい順または小さい順に前記複数の電力低減プランを前記表示部に表示させる請求項１〜５のいずれか１つに記載の表示装置。
【発明の詳細な説明】
【技術分野】
【０００１】
この発明は、表示装置に関する。
【背景技術】
【０００２】
従来、オプション接続用のスロットを備え、さまざまな機能を有するオプションを当該スロットに接続することにより、多用なシステムに対応可能な表示装置が知られている。
このような表示装置において、オプションを接続したときに要する追加の消費電力は、接続したオプションの種類によって大きく異なる。
【０００３】
一方、表示装置に内蔵された電源の容量は、装置のサイズや搭載スペースによって大きく異なるが、多種多様な顧客からの要望に対して幅広く対応するには、中程度〜低程度の汎用的な容量の電源を搭載した表示装置が望ましい。
しかしながら、このような汎用的な容量の電源を搭載した表示装置は、消費電力の大きなオプションを接続したときに必要な電力を賄うことができないことがある。
【０００４】
このような事情から、オプションを接続した際に電力が破綻しないように電力のマネジメントを行う表示装置が求められている。
【０００５】
オプションへの供給電力の制御に関する発明として、従来、コンピュータのＩ／Ｏスロットへの電源を供給する電源配線にコンピュータ本体からの直接プログラムによってオンオフ制御可能な開閉手段を設け、各Ｉ／Ｏスロットに挿入されているオプションカードの電源をオンオフするＩ／Ｏスロット電源供給方式の発明が開示されている（例えば、特許文献１を参照）。
【０００６】
また、インバータ装置に予め定めたオプションカードが装着されたときに、操作パネルの消費電力を減らして動作するように該操作パネルを設定することを特徴としたインバータ装置の発明が開示されている（例えば、特許文献２を参照）。
【先行技術文献】
【特許文献】
【０００７】
【特許文献１】特開昭６２−２１７３１４号公報
【特許文献２】特開２００６−３５２９８５号公報
【発明の概要】
【発明が解決しようとする課題】
【０００８】
しかしながら、従来の電力のマネジメントに関する発明は、予め定められたプログラム等に基づいて供給電力が制御されるため、ユーザーが必要とする機能についても電力の低減・供給停止が行われることがあり、必ずしもユーザーの利便性が高いものとはいえなかった。
【０００９】
この発明は、以上のような事情を考慮してなされたものであって、その目的は、オプションを接続したとき、ユーザーの利便性が高い電力供給のマネジメントを実現する表示装置を提供することにある。
【課題を解決するための手段】
【００１０】
この発明は、本体にオプションを接続することによりオプション機能の追加が可能な表示装置であって、前記オプションを接続するオプション接続部と、前記オプション接続部に接続されたオプションの消費電力を含むオプション情報を取得するオプション情報取得部と、本体の消費電力を検出する消費電力検出部と、前記オプションおよび前記本体に電力を供給する電源と、前記本体の一部の機能を停止または低下することにより、総消費電力を低減させる電力低減プランを作成する電力低減プラン作成部と、前記電力低減プランを表示する表示部と、ユーザーからの指令を受け付ける操作部と、前記オプション接続部にオプションが接続されたとき、前記オプションのオプション情報を前記オプション情報取得部に取得させ、本体の消費電力を前記消費電力検出部に取得させ、前記オプションおよび前記本体の総消費電力が予め定められた閾値を超える場合、前記総消費電力を減らして動作するための複数の電力低減プランを前記電力低減プラン作成部に作成させて前記表示部に表示させ、前記操作部が受け付けた指令により選択された前記電力低減プランを実行させる制御部と、を備えたことを特徴とする表示装置を提供するものである。
【発明の効果】
【００１１】
この発明によれば、オプションをディスプレイに装着したとき、ユーザーの利便性が高い電力供給のマネジメントを実現する表示装置が提供される。
【００１２】
以上に述べたように、
（ｉ）この発明の表示装置は、本体にオプションを接続することによりオプション機能の追加が可能な表示装置であって、前記オプションを接続するオプション接続部と、前記オプション接続部に接続されたオプションの消費電力を含むオプション情報を取得するオプション情報取得部と、本体の消費電力を検出する消費電力検出部と、前記オプションおよび前記本体に電力を供給する電源と、前記本体の一部の機能を停止または低下することにより、総消費電力を低減させる電力低減プランを作成する電力低減プラン作成部と、前記電力低減プランを表示する表示部と、ユーザーからの指令を受け付ける操作部と、前記オプション接続部にオプションが接続されたとき、前記オプションのオプション情報を前記オプション情報取得部に取得させ、本体の消費電力を前記消費電力検出部に取得させ、前記オプションおよび前記本体の総消費電力が予め定められた閾値を超える場合、前記総消費電力を減らして動作するための複数の電力低減プランを前記電力低減プラン作成部に作成させて前記表示部に表示させ、前記操作部が受け付けた指令により選択された前記電力低減プランを実行させる制御部と、を備えたことを特徴とする。
【００１３】
この発明において、「表示装置」は、動画、静止画または３Ｄ画像等の映像を表示する装置であり、例えば、テレビやコンピュータ（ＰＣ）、電子黒板等のディスプレイがあげられる。
「オプション」は、表示装置の本体に接続することにより、表示装置に機能を追加する。
「オプション情報」としては、例えば、オプションの消費電力・接続状況・電力モード等の情報があげられる。
【００１４】
さらに、この発明の好ましい態様について説明する。
【００１５】
（ii）この発明による表示装置において、前記電力低減プランは、ユーザーが選択可能な複数の設定項目を含み、前記制御部は、前記操作部が前記設定項目の選択の変更を受け付けたとき、変更された設定項目に基づき、前記オプションおよび前記本体の総消費電力が予め定められた閾値を超えるか否かを前記表示部に表示させるものであってもよい。
【００１６】
このようにすれば、ユーザーは、電力低減プランの設定項目を自由に選択することができるため、ユーザーの利便性の高い電力供給のマネジメントを実現することができる。
【００１７】
（iii）この発明による表示装置において、前記設定項目は、前記表示部のバックライトの輝度を予め定められたレベルまで下げる処理、音声出力をＯＦＦにする処理および映像入力端子の信号検出をＯＦＦにする処理に関する項目のうち、少なくとも１つの項目を含むものであってもよい。
【００１８】
このようにすれば、ユーザーの要望に応じた細かい電力設定ができるため、ユーザーの利便性の高い電力供給のマネジメントを実現することができる。
【００１９】
「予め定められたレベル」とは、例えば、ユーザーの利便性を損なわないレベル、すなわち、ユーザーが視認可能なレベルまたは表示に差し支えないレベルである。
【００２０】
（iv）この発明による表示装置において、前記オプションは、消費電力量の異なる複数種類の電力モードを有し、前記オプション情報は、前記電力モードの情報を含み、前記設定項目は、前記複数種類の電力モードの設定に関する項目を有するものであってもよい。
【００２１】
このようにすれば、オプションの電力モードの設定が可能となるため、より多様かつ利便性の高い電力供給のマネジメントを実現することができる。
【００２２】
（ｖ）この発明による表示装置において、前記制御部は、前記電力低減プランを前記表示部に表示させるとき、前記電力低減プランによって低減可能な消費電力量を併せて前記表示部に表示させるものであってもよい。
【００２３】
このようにすれば、ユーザーは、どのプランを選択すれば、どれだけの消費電力量が節約できるかを容易に知ることができるため、ユーザーの利便性の高い電力供給のマネジメントを実現することができる。
【００２４】
（vi）この発明による表示装置において、前記制御部は、複数の前記電力低減プランを前記表示部に表示させるとき、低減可能な消費電力量の大きい順または小さい順に前記複数の電力低減プランを前記表示部に表示させるものであってもよい。
【００２５】
このようにすれば、ユーザーは、節約できる電力量が大きいまたは小さい項目を一目で把握できるため、ユーザーの利便性の高い電力供給のマネジメントを実現することができる。
【図面の簡単な説明】
【００２６】
【図１】この発明の画像表示装置の概略構成を示すブロック図である。
【図２】この発明の画像表示装置１の電力低減プランの設定および実行処理の手順を示すフローチャートである。
【図３】この発明の画像表示装置１の電力低減プランの設定および実行処理の手順を示すフローチャートである。
【図４】この発明の画像表示装置１の電力低減プランの設定および実行処理の手順を示すフローチャートである。
【図５】表示部に表示された電力低減メニューの一例を示す説明図である。
【図６】表示部に表示された電力低減メニューの一例を示す説明図である。
【発明を実施するための形態】
【００２７】
以下、図面を用いてこの発明をさらに詳述する。なお、以下の説明は、すべての点で例示であって、この発明を限定するものと解されるべきではない。
【００２８】
（実施形態１）
＜画像表示装置１の構成＞
この発明の実施形態１に係る画像表示装置１について説明する。
以下、図１に基づき、この発明の表示装置の一例としての画像表示装置１の構成を説明する。
図１は、この発明の画像表示装置１の概略構成を示すブロック図である。
【００２９】
画像表示装置１は、動画、静止画または３Ｄ画像等の画像・映像を表示する装置であり、例えば、テレビやパーソナルコンピュータ（ＰＣ）、パブリックディスプレイ、デジタルサイネージディスプレイ、モニター、電子黒板等のディスプレイがあげられる。
また、画面上にタッチすることによって操作するタッチパネル機能を有する画像表示装置であってもよい。
また、表示部１８に画像が表示される画像表示装置に限定されず、例えば、プロジェクタのようにスクリーン上に画像が投影される画像表示装置であってもよい。
【００３０】
図１に示すように、この発明の画像表示装置１は、主として、電源１１、マイコン１２、音声回路１３、バックライト部１４、スロット部１５、ＵＳＢ接続部１６、スケーラー部１７、表示部１８および電流計測部１９を備える。
【００３１】
オプションボード２は、画像表示装置１のスロット部１５に接続することによって、画像表示装置１に特定の機能を追加する。
オプションボード２は、マイコン２１、電源２２およびオプション回路２３を備える。
オプションボード２としては、例えば、インテルのＭｉｎｉ ＯＰＳ（Open Pluggable Specification）などのように、スロット形状にしたＰＣ機能を有するコントロールオプションがあげられる。また、フルハイビジョン映像／音声、ＬＡＮ、シリアル制御信号および電力を多重化して単一のイーサネット（登録商標）ケーブルで伝送する多重伝送用の接続規格で１００ｍの長距離伝送を可能にするＨＤＢａｓｅ−Ｔオプションやワイヤレス通信を可能にするワイヤレスオプションなどがあげられる。
【００３２】
実施形態１において、この発明の「オプション」はオプションボード２またはＵＳＢ３によって実現し、また、この発明の「オプション接続部」は、スロット部１５によって実現し、また、この発明の「オプション情報取得部」は、マイコン１２およびスロット部１５の協働によって実現し、また、この発明の「消費電力検出部」は、電流計測部１９によって実現し、また、この発明の「電力プラン作成部」および「制御部」は、マイコン１２によって実現する。
【００３３】
以下、図１に示す画像表示装置１の各構成要素を説明する。
【００３４】
電源１１は、画像表示装置１の各部に電力を供給する。電源１１としては、例えば、ＡＴ電源、ＡＴＸ電源、ＳＦＸ電源などが用いられる。
【００３５】
マイコン１２は、マイクロプロセッサ(Microprocessor)を主体とする回路であり、各種装置の制御処理やオペレーティングシステム、アプリケーションソフトウェアなどの処理を行う演算装置である。また、周辺回路として、特定の用途のために設計、製造される集積回路であるＡＳＩＣ（Application Specific Integrated Circuit）、その他の演算機能を有する回路を含んでいてもよい。
また、マイコン１２は、画像表示装置１の本体の一部の機能を停止または低下することにより、本体消費電力を低減させる電力低減プランを作成する機能を有する。
【００３６】
音声回路１３は、スピーカー等の音声出力部に接続されて当該音声の出力を制御する回路である。
【００３７】
バックライト部１４は、表示部１８の背面から液晶を照明する部分である。バックライト部１４の光源としては、例えば、ＬＥＤや冷陰極蛍光ランプ（ＣＣＦＬ）などが用いられる。また、直下型方式、エッジライト方式その他の方式を用いるものであってもよい。
バックライト部１４は、マイコン１２等の指令を受けて、輝度調整を行う。
また、バックライト部１４は、マイコン１２によって作成された電力低減プランに従って、予め定められたレベルまで輝度を低減させる。
【００３８】
スロット部１５は、オプションボード２を本体に接続するためのインターフェースである。スロット部１５のインターフェースの仕様は、各種規格があり、画像表示装置１とオプションボード２間で予め取り決められている。
画像表示装置１は、一般に１〜２個のスロット部１５を備えるが、３個以上のスロット部１５を備えるものであってもよい。
【００３９】
ＵＳＢ接続部１６は、ＵＳＢ３またはその他のＵＳＢ機器を着脱可能に接続するための接続部である。ＵＳＢ接続部１６は、必要に応じて、接続されたＵＳＢ３またはその他のＵＳＢ機器に電源１１からの電力を供給する。
【００４０】
スケーラー部１７は、画像データの処理を行う部分である。例えば、画像補整、カラー補正、γ補正、倍速処理、ＯＳＤ（On-Screen Display）の生成、ＯＳＤの重畳などの処理を行う。
【００４１】
表示部１８は、入力画像や設定情報などの各種情報の表示を行う部分である。表示部１８は、例えば、ＣＲＴディスプレイ、液晶ディスプレイ、ＥＬディスプレイなどで構成され、オペレーティングシステムやアプリケーションソフトウェアが処理状態などの電子的なデータを表示するためのモニターやラインディスプレイなどの表示装置である。
また、表示部１８の表示面をタッチパネルで覆い、表示面に接触したユーザーの指先等の位置を検出してタッチパネル操作を行うものであってもよい。
【００４２】
電流計測部１９は、画像表示装置１の各部分に流れる電流値を計測する部分であり、計測した電流値をマイコン１２に通知する。
図１において、電源１１から供給される電流値、音声回路１３、バックライト部１４、スロット部１５およびＵＳＢ接続部１６に供給される電流値を計測するための電流計測部１９が設けられている。
【００４３】
次に、オプションボード２の各構成要素を説明する。
【００４４】
マイコン２１は、オプションボード２の各部分の制御を行う部分であり、画像表示装置１のマイコン１２と同様の構成を有する。
また、電力マネジメント機能を有するオプションボード２の場合、オプションボード２の電力マネジメントを行うようにしてもよい。
【００４５】
電源２２は、画像表示装置１の電源１１から供給された電力をオプションボード２の各部分に供給する部分である。
【００４６】
オプション回路２３は、オプションボード２の予め定められた機能を実現する回路である。例えば、コントローラオプションの場合は、チップセットやＰＣの機能を実現する回路であり、ワイヤレスオプションの場合は、ワイヤレスモジュールの機能を実現する回路であり、ＨＤ−ｂａｓｅＴオプションの場合は、送信機で多重化信号に変換されたフルハイビジョン映像／音声、ＬＡＮ、シリアル制御信号および電力を受信して元の各信号へ変換する機能を実現する回路である。
【００４７】
また、図示しないが、画像表示装置１は、ＶＧＡ端子やコンポーネント端子等のアナログ入力端子、ＤＶＩ端子やＨＤＭＩ(登録商標)端子やＤｉｓｐｌａｙＰｏｒｔ（ＤＰ）端子等の外部機器の端子を接続して外部機器からの信号を入力する入力端子部、制御プログラムやログ情報、ユーザー設定情報、システム情報用の固定テキストなど、画像表示装置１の各種機能を実現するために必要な情報を格納する不揮発性メモリ、各種データや取引結果を一時的に記憶し、プログラムのワークエリア等としても使用される揮発性メモリ、画像表示装置１の各種処理の経過時間を計測するタイマ、リモコンからの赤外線（ＩＲ）信号を受光する受光部、ネットワークを介して、外部機器と有線または無線による通信を行い、データを送受信する通信部、ユーザーからの指令を受け付ける操作部、画像表示装置１の各部分の電圧を計測する電圧計測部などを備える。
【００４８】
＜画像表示装置１の省電力マネジメント処理＞
次に、図２〜図６に基づき、電力低減プランの設定および実行処理の手順について説明する。
図１は、この発明の画像表示装置１の概略構成を示すブロック図である。
図２〜図４は、この発明の画像表示装置１の電力低減プランの設定および実行処理の手順を示すフローチャートである。
図５および図６は、表示部１８に表示された電力低減メニューの一例を示す説明図である。
【００４９】
図２のステップＳ１において、マイコン１２は、電力データをクリアする（ステップＳ１）。
【００５０】
次に、ステップＳ２において、マイコン１２はオプションが検出されたか否かを判定する（ステップＳ２）。
ここで、オプションとしては、スロット部１５に接続されたオプションボード２の他に、ＵＳＢ接続部１６に接続されたＵＳＢ３やその他のＵＳＢ機器および音声回路１３に接続されたスピーカー等の音声出力部などがあげられる。
【００５１】
オプションが検出された場合（ステップＳ２の判定がＹｅｓの場合）、マイコン１２は、ステップＳ３において、検出されたオプションの種類を特定する（ステップＳ３）。
具体的には、マイコン１２は、オプションとのハンドシェイクを通じてオプションに関するオプション情報を取得することによって当該オプションの種類を特定する。
その後、マイコン１２は、ステップＳ４の判定を行う（ステップＳ４）。
【００５２】
実施形態１において、オプションの種類を特定できない例として、ＵＳＢ３を想定しており、また、オプションの種類を特定可能な例として、オプションボード２を想定している。
しかしながら、他社製品など異なる規格を有するオプションボード２は、オプションの種類を特定できない例としてあげられる。
【００５３】
一方、ステップＳ２において、オプションが検出されなかった場合（ステップＳ２の判定がＮｏの場合）、マイコン１２は、ステップＳ１の処理を繰り返す（ステップＳ１）。
【００５４】
次に、ステップＳ４において、マイコン１２は、検出されたオプションが特定されたか否かを判定する（ステップＳ４）。
【００５５】
＜オプションの種類が特定された場合の処理＞
検出されたオプションの種類が特定された場合（ステップＳ４の判定がＹｅｓの場合）、マイコン１２は、図示しない通信用電源をＯＮにして、図示しない通信部に画像表示装置１およびオプション間の通信を行わせる（ステップＳ５）。
【００５６】
続いて、ステップＳ６において、マイコン１２は、画像表示装置１の各部分およびオプションの電力データを読み込む（ステップＳ６）。
具体的には、マイコン１２は、オプションについてはハンドシェイクを通じて取得したオプション情報に含まれるオプションの電力データを読み込む。
一方、画像表示装置１の各部分の電力データは、電流計測部１９の計測結果に基づき算出されるが、図示しない不揮発性メモリに予め格納された各部分の電力データを読み込むようにしてもよい。
【００５７】
その後、ステップＳ７において、マイコン１２は、読み込んだ電力データに基づき、電力マネジメントが必要か否かを判定する（ステップＳ７）。
【００５８】
ここで、画像表示装置１の各部分およびオプションの各部分の総消費電力が電源１１で十分賄える場合は、マイコン１２は、電力マネジメントが必要ないものと判断する。
電力マネジメントが必要でない場合（ステップＳ７の判定がＮｏの場合）、マイコン１２は、処理を終了させる。なお、マイコン１２は、処理を終了した後もＳ１以降の処理を繰り返すものとする。
【００５９】
一方、電源１１で賄うことができない場合、マイコン１２は、電力マネジメントが必要であると判断する。
電力マネジメントが必要な場合（ステップＳ７の判定がＹｅｓの場合）、マイコン１２は、ステップＳ８の判定を行う（ステップＳ８）。
【００６０】
ステップＳ８において、マイコン１２は、電力データの更新があったか否かを判定する（ステップＳ８）。
電力データの更新があった場合（ステップＳ８の判定がＹｅｓの場合）、マイコン１２は、ステップＳ９において、省電力プランを生成する（ステップＳ９）。
なお、省電力プランの生成の具体例については、図５および図６の説明において後述する。
その後、マイコン１２は、図３のステップＳ１０の処理を行う（図３のステップＳ１０）。
【００６１】
一方、電力データの更新がない場合（ステップＳ８の判定がＮｏの場合）、マイコン１２は、ステップＳ２の判定を繰り返す（ステップＳ２）。
【００６２】
次に、図３のステップＳ１０において、マイコン１２は、生成された省電力プランに基づき作成された電力低減メニューを表示部１８上にＯＳＤ表示させる（ステップＳ１０）。
【００６３】
図５（Ａ）は、画像表示装置１がＶＧＡ端子、ＨＤＭＩ端子およびＤＰ（ＤｉｓｐｌｙａＰｏｒｔ）端子の接続に対応した図示しない入力端子部を有している場合において、画像表示装置１がＤＰ端子のみ接続して使用している場合に、デフォルトで表示部１８上にＯＳＤ表示される電力低減メニューの一例を示す。
【００６４】
図５（Ａ）に示すように、表示部１８には、「電力低減メニュー」として、プラン１，２および３の３種類のプランが表示され、各プラン名の隣にチェックボックスが設けられている。
ユーザーは、これらのプランのいずれかのチェックボックスにチェックを入れ、「実行」を選択することにより、当該プランに対応した電力低減処理が実行される。
また、ユーザーは、「詳細」を選択することで、各プランの詳細を見ることができる。
【００６５】
図５（Ｂ）および図５（Ｃ）は、それぞれ電力低減プラン１および２の詳細を示す。
図５（Ｂ）において、ディスプレイ（画像表示装置１）の電力低減設定として、「バックライト低減」、「音声出力ＯＦＦ」、「ＨＤＭＩ入力ＯＦＦ」および「ＶＧＡ入力ＯＦＦ」の各項目が表示されており、そのうち、「バックライト低減」の一項目のみが選択されている。
【００６６】
また、実施形態１において、オプションは、ＭＯＤＥ１（ハイパワー）、ＭＯＤＥ２（ミドルパワー）およびＭＯＤＥ３（ローパワー）の３種類のモードを有するものとする。なお、モード数は３種類に限られず、任意の種類であってもよい。
【００６７】
図５（Ｂ）において、オプションのＭＯＤＥ１〜３はいずれも選択されていない。
一方、図５（Ｃ）においては、オプションのＭＯＤＥ３（ローパワー）が選択されているが、ディスプレイの電力低減設定の各項目はいずれも選択されていない。
【００６８】
また、図５（Ｂ）（Ｃ）において、表示部１８の右上部分には、電源１１による画像表示装置１の各部およびオプションへの電力供給が十分であるか否かを示す「電力状態」が表示されており、「○」印は、電源１１の電力が十分であることを、「×」印は、電源１１の電力が不足していることを示す。
図５（Ｂ）（Ｃ）の例では、いずれも電力状態は「○」であり、ユーザーは、電源１１の電力が十分であることを一目で把握することができる。
【００６９】
次に、ステップＳ１１において、マイコン１２は、図示しない操作部が電力低減メニューの変更指示を受け付けたか否かを判定する（ステップＳ１１）。
例えば、図５（Ｂ）において、「電力低減プラン１」の「バックライト低減」の項目の選択が解除された場合や「音声出力ＯＦＦ」等の未選択の項目が選択された場合、電力低減メニューの変更指示を受け付けたものとする。
【００７０】
電力低減メニューの変更指示を操作部が受け付けた場合（ステップＳ１１の判定がＹｅｓの場合）、マイコン１２は、ステップＳ１２において、電力低減メニューの変更結果を表示部１８にＯＳＤ表示させる（ステップＳ１２）。
例えば、図５（Ｂ）において、「電力低減プラン１」の「音声出力ＯＦＦ」の項目が選択されたとき、「音声出力ＯＦＦ」の項目にもチェックが入った電力低減メニューを表示部１８に表示させる。
【００７１】
その後、マイコン１２は、ステップＳ１３において、予め定められた時間の間、ユーザーからの指示のない状態が継続したか否かを判定する（ステップＳ１３）。
予め定められた時間の間、ユーザーからの指示のない状態が継続した場合（ステップＳ１３の判定がＹｅｓの場合）、マイコン１２は、ステップＳ１４において、電力低減メニューのＯＳＤ表示を消し（ステップＳ１４）、その後、ステップＳ２の処理を繰り返す（ステップＳ２）。
【００７２】
一方、予め定められた時間の間、ユーザーからの指示のない状態が継続していない場合（ステップＳ１３の判定がＮｏの場合）、マイコン１２は、ステップＳ１１の判定を繰り返す（ステップＳ１１）。
【００７３】
次に、ステップＳ１１の判定において、電力低減メニューの変更指示を操作部が受け付けていない場合（ステップＳ１１の判定がＮｏの場合）、マイコン１２は、ステップＳ１５において、図示しない操作部が電力低減メニューの実行指示を受け付けたか否かを判定する（ステップＳ１５）。
【００７４】
電力低減メニューの実行指示を受け付けた場合（ステップＳ１５の判定がＹｅｓの場合）、マイコン１２は、ステップＳ１６において、操作部が実行指示を受け付けた電力低減メニューに対応する画像表示装置１の各部分およびオプションボード２への電源１１からの電力の供給をＯＮにして、当該省電力プランを実行する（ステップＳ１６）。
【００７５】
具体的には、図５（Ａ）に示すように、ユーザーは、電力低減メニューの各項目および電力状態を確認し、「実行」を選択することにより、当該電力低減メニューを実行することができる。
また、ユーザーは、「中止」を選択することにより、電力低減メニューの表示を中止することもできる。
あるいは、電力低減メニューをＯＳＤ表示した後、予め定められた時間内に電力低減メニューの実行指示または変更指示がなければ、電力低減メニューの表示が消去される。
【００７６】
一方、ステップＳ１５の判定において、電力低減メニューの実行指示を操作部が受け付けていない場合（ステップＳ１５の判定がＮｏの場合）、マイコン１２は、ステップＳ１３の判定を行う（ステップＳ１３）。
【００７７】
＜オプションの種類が特定されなかった場合の処理＞
次に、図２のステップＳ４の判定において、検出されたオプションの種類が特定されなかった場合（ステップＳ４の判定がＮｏの場合）、マイコン１２は、ステップＳ１７において、当該オプションへの電力の供給をＯＮにする（ステップＳ１７）。
【００７８】
続いて、ステップＳ１８において、マイコン１２は、電流計測部１９の計測結果に基づき、当該オプションおよび画像表示装置１の各部分に供給すべき電流が予め定められた許容範囲を超えたか否かを判定する（ステップＳ１８）。
当該オプションおよび画像表示装置１の各部分に供給すべき電流が予め定められた許容範囲を超えた場合（ステップＳ１８の判定がＹｅｓの場合）、マイコン１２は、ステップＳ１９において、オプションへの電力供給をＯＦＦにする（ステップＳ１９）。
その後、ステップＳ２０において、マイコン１２は、電力を低減するための電力低減メニューを生成する（ステップＳ２０）。
【００７９】
一方、当該オプションおよび画像表示装置１の各部分に供給すべき電流が予め定められた許容範囲を超えていない場合（ステップＳ１８の判定がＮｏの場合）、マイコン１２は、ステップＳ２１において、図示しない電圧計測部の計測結果に基づき、電圧異常が発生したか否かを判定する（ステップＳ２１）。
電圧異常が発生した場合（ステップＳ２１の判定がＹｅｓの場合）、マイコン１２は、ステップＳ１９の処理を行う（ステップＳ１９）。
一方、電圧異常が発生していない場合（ステップＳ２１の判定がＮｏの場合）、マイコン１２は、処理を終了する。
【００８０】
次に、図４のステップＳ２２において、マイコン１２は、電力低減メニューでオプションの電力が確保可能か否かを判定する（ステップＳ２２）。
電力低減メニューでオプションの電力が確保可能でない場合（ステップＳ２２の判定がＮｏの場合）、マイコン１２は、ステップＳ２３において、オプションへの電力供給をＯＦＦにする（ステップＳ２３）。
なお、この場合、オプションへの電力確保ができなかったため、オプションへの電力供給をＯＦＦにした旨を表示部１８にＯＳＤ表示させてユーザーに報知するようにしてもよい。
その後、マイコン１２は、ステップＳ２の判定を行う（ステップＳ２）。
【００８１】
一方、電力低減メニューでオプションの電力が確保可能な場合（ステップＳ２２の判定がＹｅｓの場合）、マイコン１２は、ステップＳ２４において、オプションへの電力供給をＯＮにする（ステップＳ２４）。
【００８２】
次に、ステップＳ２５において、マイコン１２は、電流計測部１９の計測結果に基づき、当該オプションおよび画像表示装置１の各部分に供給すべき電流が予め定められた許容範囲を超えたか否かを判定する（ステップＳ２５）。
当該オプションおよび画像表示装置１の各部分に供給すべき電流が予め定められた許容範囲を超えた場合（ステップＳ２５の判定がＹｅｓの場合）、マイコン１２は、ステップＳ１９の処理を繰り返す（ステップＳ１９）。
【００８３】
一方、当該オプションおよび画像表示装置１の各部分に供給すべき電流が予め定められた許容範囲を超えていない場合（ステップＳ２５の判定がＮｏの場合）、マイコン１２は、ステップＳ２６の判定を行う（ステップＳ２６）。
【００８４】
次に、ステップＳ２６において、マイコン１２は、図示しない電圧計測部の計測結果に基づき、電圧異常が発生したか否かを判定する（ステップＳ２６）。
電圧異常が発生した場合（ステップＳ２６の判定がＹｅｓの場合）、マイコン１２は、ステップＳ１９の処理を繰り返す（ステップＳ１９）。
一方、電圧異常が発生していない場合（ステップＳ２６の判定がＮｏの場合）、マイコン１２は、ステップＳ２７において、電力低減メニューを表示部１８にＯＳＤ表示する（ステップＳ２７）。
【００８５】
図６（Ａ）は、画像表示装置１がＶＧＡ端子、ＨＤＭＩ端子およびＤＰ端子の接続に対応した図示しない入力端子部を有している場合において、オプションの種類が特定できない場合のデフォルトの電力低減メニューの一例を示す。
図６（Ａ）に示すように、「バックライト低減」、「音声出力ＯＦＦ」、「ＨＤＭＩ入力ＯＦＦ」、「ＶＧＡ入力ＯＦＦ」および「ＤＰ入力ＯＦＦ」の各項目が表示されており、そのうち、「ＤＰ入力ＯＦＦ」の一項目のみが非選択となっている。
【００８６】
ここで、「バックライト低減」は、予め定められたレベルまでバックライトの輝度を低減することにより電力を低減する処理を示す。
また、「音声出力ＯＦＦ」は、音声出力をＯＦＦにすることにより電力を低減する処理を示す。
また、「ＨＤＭＩ入力ＯＦＦ」および「ＶＧＡ入力ＯＦＦ」は、それぞれＨＤＭＩ端子およびＶＧＡ端子からの信号の入力をＯＦＦにすることにより電力を低減する処理を示す。
【００８７】
図６（Ａ）の例では、ＤＰ端子を接続して使用しているため、「ＤＰ入力ＯＦＦ」を選択できないことを示すべく、「ＤＰ入力ＯＦＦ」の項目はグレーアウト表示される。
一方、「バックライト低減」、「音声出力ＯＦＦ」、「ＨＤＭＩ入力ＯＦＦ」および「ＶＧＡ入力ＯＦＦ」の項目は、チェックボックスのチェックをはずすことによって非選択に設定可能であることを示すため、グレーアウト表示されていない。
【００８８】
また、図６（Ａ）〜（Ｃ）において、表示部１８の右側部分には、電源１１による電力供給が十分であるか否かを示す「電力状態」が表示されており、「○」印は、電源１１の電力が十分であることを、「×」印は、電源１１の電力が不足していることを示す。
【００８９】
一方、予め用意された電力低減メニューでは、オプションへの電力供給を賄えない場合、図６（Ｂ）に示されるように、オプションが使用できない旨の表示をする。
【００９０】
次に、ステップＳ２８において、マイコン１２は、図示しない操作部が電力低減メニューの変更指示を受け付けたか否かを判定する（ステップＳ２８）。
電力低減メニューの変更指示を操作部が受け付けた場合（ステップＳ２８の判定がＹｅｓの場合）、マイコン１２は、ステップＳ２４の処理を繰り返す（ステップＳ２４）。
一方、電力低減メニューの変更指示を操作部が受け付けなかった場合（ステップＳ２８の判定がＮｏの場合）、マイコン１２は、ステップＳ２９の判定を行う（ステップＳ２９）。
【００９１】
図６（Ｃ）に示すように、ユーザーは、「バックライト低減」のチェックボックスのチェックをはずすことにより、バックライトの低減処理を実行しないするよう選択することもできる。
しかしながら、マイコン１２は、バックライトの低減を実行しないときに要する電力の総和が、電源１１から供給される電力をオーバーする場合、電力状態において電力が不足していることを示すため、「×  電力が足りません」と表示させる。
【００９２】
次に、ステップＳ２９において、マイコン１２は、図示しない操作部が電力低減メニューの実行指示を受け付けたか否かを判定する（ステップＳ２９）。
電力低減メニューの実行指示を操作部が受け付けた場合（ステップＳ２９の判定がＹｅｓの場合）、マイコン１２は、ステップＳ３０において、当該メニューに対応する画像表示装置１の各部分およびオプションへの電力供給をＯＮにする（ステップＳ３０）。その後、マイコン１２は、処理を終了する。
【００９３】
一方、電力低減メニューの実行指示を操作部が受け付けていない場合（ステップＳ２９の判定がＮｏの場合）、マイコン１２は、ステップＳ３１において、予め定められた時間ユーザーからの指示のない状態が継続したか否かを判定する（ステップＳ３１）。
予め定められた時間ユーザーからの指示のない状態が継続した場合（ステップＳ３１の判定がＹｅｓの場合）、マイコン１２は、ステップＳ１４において、電力低減メニューのＯＳＤ表示を消し（ステップＳ３２）、その後、ステップＳ２の処理を繰り返す（ステップＳ２）。
【００９４】
一方、予め定められた時間ユーザーからの指示のない状態が継続していない場合（ステップＳ３１の判定がＮｏの場合）、マイコン１２は、ステップＳ２８の判定を繰り返す（ステップＳ２８）。
【００９５】
このようにして、オプションを画像表示装置１に装着したとき、ユーザーの利便性が高い電力供給のマネジメントが実現される。
【００９６】
（実施形態２）
マイコン１２は、電力低減メニューを表示部１８にＯＳＤ表示させる際に、電力低減メニューのプランまたは項目を選択することにより節約できる消費電力量や電源１１により供給可能な全消費電力量を併せて表示部１８にＯＳＤ表示させるようにしてもよい。
【００９７】
このようにすれば、ユーザーは、どのプランまたは項目を選択すれば、どれだけの消費電力量が節約できるかを知ることができるため、ユーザーの利便性の高い電力供給のマネジメントを実現することができる。
【００９８】
（実施形態３）
マイコン１２は、電力低減メニューを表示部１８にＯＳＤ表示させる際に、電力低減メニューのプランまたは項目を節約できる電力量が大きい（または小さい）順に並べるようにしてもよい。
【００９９】
このようにすれば、ユーザーは、節約できる電力量が大きい（または小さい）プランまたは項目を一目で把握できるため、ユーザーの利便性の高い電力供給のマネジメントを実現することができる。
【０１００】
（実施形態４）
マイコン１２は、電力低減メニューにおいて、バックライトの輝度を段階的に下げるようにしてもよい。
【０１０１】
このようにすれば、電力供給マネジメントの従来よりも細かい管理が可能となるため、ユーザーの利便性の高い電力供給のマネジメントを実現することができる。
【０１０２】
（実施形態５）
画像表示装置１が２以上のスロット部１５を有する場合、マイコン１２は、電力低減メニューにおいて、「スロット１」、「スロット２」等の表示を行うようにしてもよい。
【０１０３】
このようにすれば、２以上のスロット部１５を有する場合においても、ユーザーの利便性の高い電力供給のマネジメントを実現することができる。
【０１０４】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味及び前記範囲内でのすべての変形とが含まれるべきである。
【符号の説明】
【０１０５】
１：画像表示装置、    ２：オプションボード、    ３：ＵＳＢ、    １１：電源、    １２：マイコン、    １３：音声回路、    １４：バックライト部、    １５：スロット部、    １６：ＵＳＢ接続部、    １７：スケーラー部、    １８：表示部、    １９：電流計測部、    ２１：マイコン、    ２２：電源、    ２３：オプション回路
【図１】
2018159868.tif 000003
【図２】
2018159868.tif 000004
【図３】
2018159868.tif 000005
【図４】
2018159868.tif 000006
【図５】
2018159868.tif 000007
【図６】
2018159868.tif 000008